(57)【要約】【課題】従来の押下を確定して即機能を開始する方法は、クリック感のないタッチ式入力手段においては、間違って押してしまう可能性があるため、確実に操作の受付を行うためには、押下を確定して即機能を開始する方法では不充分であった。【解決手段】利用者のタッチパネル１０７および静電スイッチ１０８からの押下入力を確定するための押下入力確定手段１０９と、押下入力確定手段１０９で押下入力確定された動作機能から押下入力確定後の動作開始確定判断を行う動作開始確定判断手段１１１を持つことにより、入力受付方法をタッチ入力という操作系で統一した上で、利用者の動作指示内容に合わせて、確実な操作感が必要な場合や、即応性が必要な場合に、押下入力確定から動作開始確定のタイミングを使い分け、使用感を向上することができる。【選択図】図１
2007304912.tif 000002
【特許請求の範囲】
【請求項１】
機器とリモコンからなり、前記リモコンは、リモコン制御手段の指令に基づいて動作し、インターフェースの表示および入力受付を行うタッチパネルと、前記タッチパネルの動作状態に依存しない入力受付を行うための静電スイッチと、前記タッチパネルおよび静電スイッチからの押下入力確定を行うための押下入力確定手段と、前記押下入力確定手段の押下確定を使用者に報知するための押下確定報知手段と、前記押下入力確定手段で押下入力確定された動作機能から押下入力確定後の動作開始確定判断を行う動作開始確定判断手段と、前記リモコンに表示される操作画面の提供を行うと共に操作画面の特性に合った入力受付・入力報知・入力確定・受付動作開始方法の提供を行うリモコン操作提供手段を備えた機器操作システム。
【請求項２】
前記リモコンの前記静電スイッチの入力感度調整を行うための静電スイッチ入力感度調整手段を備え、前記リモコン操作提供手段が前記静電スイッチ入力感度調整手段を前記タッチパネルのみの操作で実行する請求項１記載の機器操作システム。
【請求項３】
請求項１〜２のいずれか１項記載の機器操作システムの少なくとも一部をコンピュータにより実行するためのプログラム。
【発明の詳細な説明】
【技術分野】
【０００１】
本発明は、家庭などに設置された機器を操作するリモコンの操作入力手段に静電スイッチとタッチパネルを用いたリモコンシステムおよびそのプログラムに関するものである。
【背景技術】
【０００２】
従来から使用されている操作入力手段に静電スイッチやタッチパネルを用いた機器操作システムの一例（例えば、静電スイッチは特許文献１参照、タッチパネルは特許文献２参照）を図７を用いて説明する。
【０００３】
図７において、７０１は静電スイッチ、７０２は操作判断手段、７０３は機器制御手段、７０４は機器機能提供手段である。
【０００４】
機器利用者が静電スイッチ７０１を押下すると、静電スイッチ７０１は押下による静電容量変化の検出を操作判断手段７０２に伝達する。操作判断手段７０２は、静電スイッチ７０１の静電容量変化検出が所定時間（例えば１秒）継続した時、操作確定を判断し、機器制御手段７０３に機器利用者の操作確定を伝達する。
【０００５】
機器制御手段７０３は、機器機能提供手段７０４に機器機能提供を指令する。機器機能提供手段７０４が自動販売機機能である場合、選択された商品を提供し、機器機能提供手段７０４が、ふろ給湯機能である場合は、ふろにお湯が提供されることになる。
【特許文献１】実用新案登録第３０２１８９４号公報
【特許文献２】特開平１１−１３４１１３号公報
【発明の開示】
【発明が解決しようとする課題】
【０００６】
前記従来の機器操作システムは、次のような課題を有しているがそれが従来特許文献には考慮・記載されていない。
【０００７】
機器が多彩な機能を持つ場合は、様々な機能の表現および選択肢を表現するマンマシン・インターフェースを表示可能なタッチパネルを用いることが必要である。しかしながら、タッチパネルは使用者の視認性を向上するためのバックライトと呼ばれる外部光源が必要であるため、外部光源の寿命を考慮し常時点灯することができない。
【０００８】
機器機能が常時使えるようにするためには、重要な機能についてはタッチパネルが消えていても操作が可能なように、タッチパネル以外のスイッチ入力手段が必要となるが、この時、操作系の統一感をはかるためには、静電スイッチのような同じタッチ入力式の入力手段が望ましい。
【０００９】
また、クリック感のないタッチ式入力手段では、間違って押してしまう可能性があるため、確実に操作の受付を行うためには、押下を確定して即機能を開始する方法では不充分であり、クリック感と同等の情報を使用者に与えるための押下確定判断と、押下確定により動作を始めるための機器機能動作開始確定判断とを別々に持つことが必要である。
【００１０】
ただし、押下確定判断と機器機能動作開始確定判断を別々にして単純にタイミングをずらすだけでは、例えば選択肢の中から音量設定選択を行う場合のような、確実性より即応性を要求される場面では、押下確定して時間の経過を待って動作が開始されると使用感が阻害されてしまう。この場合は、押下確定してすぐ設定（機器機能動作）が行われ、設定
された音量を報知する方が直感的に分かりやすい操作になる。
【００１１】
また、従来例で静電スイッチ押下確定のために所定時間入力継続を確認している要因として、使用者の指の多様性がある。使用者によっては、一般的な設定状態では、物理的な接触がなくても指が近づいただけで反応する場合や、全く反応しない場合もあり、様々な入力特性が存在する。
【００１２】
したがって、静電スイッチの入力感度は、使用者の指に合わせた入力感度調整が必要になる場合があるが、静電スイッチの調整に静電スイッチを用いると使用者の感度調整のための押下出力自体を検出することができなくなる可能性がある。
【００１３】
本発明は、前記従来の課題を解決するもので、多彩な操作画面を提供するタッチパネルと、タッチパネルの動作と無関係に、タッチパネルと同一の操作感で機能の重要な入力操作を提供する静電スイッチを用い、使用者の機器操作の状況に合わせて、確実な操作感が必要な操作画面、即応性が必要な操作画面を使い分けることが可能な機器操作システムを提供することを目的とする。
【００１４】
また、静電スイッチの入力感度調整をタッチパネル側で行うことで、静電容量変化特性が特別な指であっても画面から簡単に入力感度調整を行うことが可能な機器操作システムを提供することを目的とする。
【課題を解決するための手段】
【００１５】
前記従来の課題を解決するために、本発明の機器操作システムは、利用者のタッチパネルおよび静電スイッチからの押下入力を確定するための押下入力確定手段と、押下入力確定手段で押下入力確定された動作機能から押下入力確定後の動作開始確定判断を行う動作開始確定判断手段と、リモコンに表示される操作画面の提供を行うと共に操作画面の特性に合った入力受付・入力報知・入力確定・受付動作開始方法の提供を行うリモコン操作提供手段を持つことで、入力受付方法をタッチ入力という操作系で統一した上で、利用者の動作指示内容に合わせて押下入力確定から動作開始確定のタイミングを変え、使用感を向上することができる。
【００１６】
また、本発明の機器操作システムは、静電スイッチ入力感度調整手段を備え、静電スイッチの入力感度調整をタッチパネル側で行うことで、静電容量変化特性が特別な指であっても画面から簡単に入力感度調整を行うことができる。
【発明の効果】
【００１７】
本発明は、利用者のタッチパネルおよび静電スイッチからの押下入力を確定するための押下入力確定手段と、押下入力確定手段で押下入力確定された動作機能から押下入力確定後の動作開始確定判断を行う動作開始確定判断手段を持つことにより、入力受付方法をタッチ入力という操作系で統一した上で、利用者の動作指示内容に合わせて、確実な操作感が必要な場合や、即応性が必要な場合に、押下入力確定から動作開始確定のタイミングを使い分け、使用感を向上することができる。
【発明を実施するための最良の形態】
【００１８】
第１の発明は、機器とリモコンからなり、前記リモコンは、リモコン制御手段の指令に基づいて動作し、インターフェースの表示および入力受付を行うタッチパネルと、前記タッチパネルの動作状態に依存しない入力受付を行うための静電スイッチと、前記タッチパネルおよび静電スイッチからの押下入力確定を行うための押下入力確定手段と、前記押下入力確定手段の押下確定を使用者に報知するための押下確定報知手段と、前記押下入力確定手段で押下入力確定された動作機能から押下入力確定後の動作開始確定判断を行う動作
開始確定判断手段と、前記リモコンに表示される操作画面の提供を行うと共に操作画面の特性に合った入力受付・入力報知・入力確定・受付動作開始方法の提供を行うリモコン操作提供手段を備えた機器操作システムとすることにより、入力受付方法をタッチ入力という操作系で統一した上で、利用者の動作指示内容に合わせて、例えば確実な操作感が必要な場合や、即応性が必要な場合に、押下入力確定から動作開始確定のタイミングを使い分け、使用感を向上することが可能な機器操作システムを提供することができる。
【００１９】
第２の発明は、前記リモコンの前記静電スイッチの入力感度調整を行うための静電スイッチ入力感度調整手段を備え、前記リモコン操作提供手段が前記静電スイッチ感度調整手段を前記タッチパネルのみの操作で実行可能なインターフェースを提供する機器操作システムとすることにより、静電スイッチの入力感度調整をタッチパネル側で行うことで、静電容量変化特性が特別な指であっても画面から簡単に入力感度調整を行うことが可能な機器操作システムを提供することができる。
【００２０】
第３の発明は、第１〜２のいずれか１項記載の機器操作システムの少なくとも一部（例えば、入力受付・入力報知・入力確定・受付動作開始プロセス）をコンピュータにより実行するためのプログラムである。そして、プログラムであるので、電気・情報機器、コンピュータ、サーバ等のハードリソースを協働させて本発明の情報端末の少なくとも一部を容易に実現することができる。また記録媒体に記録したり通信回線を用いてプログラムを配信したりすることでプログラムの配布・更新やそのインストール作業が簡単にできる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における機器操作システムのブロック図、図２は、本発明の実施の形態１における機器操作システムのマンマシン・インターフェースを説明する図である。
【００２３】
図１において、機器１０１は、機器動作制御を行う機器制御手段１０２、機器機能を提供する機器機能提供手段１０３、リモコンと通信を行うための機器側機器通信手段１０４から構成される。
【００２４】
リモコン１０５は、リモコン動作制御を行うリモコン制御手段１０６、インターフェースの表示および入力受付を行うタッチパネル１０７、タッチパネル１０７の動作状態に依存しない入力受付を行うための静電スイッチ１０８、タッチパネル１０７および静電スイッチ１０８からの押下入力確定を行うための押下入力確定手段１０９、押下入力確定手段１０９の押下確定を使用者に報知するための押下確定報知手段１１０、押下入力確定手段１０９で押下入力確定された動作機能から押下入力確定後の動作開始確定判断を行う動作開始確定判断手段１１１、機器操作画面の提供を行うと共に操作画面の特性に合った入力受付・入力報知・入力確定・受付動作開始方法の提供を行うリモコン操作提供手段１１２、機器１０１と通信を行い動作指令や動作状態確認を行うためのリモコン側機器通信手段１１３、インターネット通信手段１１４、情報表示手段１１５から構成される。
【００２５】
サーバ１１６は、情報提供手段１１７、サーバ側インターネット通信手段１１８から構成される。１１９はインターネットである。
【００２６】
なお、機器１０１には深夜電力を利用する電気温水機、機器制御手段１０２にはマイクロコンピュータ、機器機能提供手段１０３には機器制御手段１０２の指示でお湯を沸かしたり蛇口にお湯を供給したりする温水供給器、リモコンと通信を行うための機器側機器通
信手段１０４にはシリアル通信手段を用いることでこの構成を容易に実現できる。
【００２７】
また、リモコン制御手段１０６にはマイクロコンピュータ、タッチパネル１０７には液晶表示とタッチ入力が可能なタッチパネルデバイス、静電スイッチ１０８には使用者のタッチ入力を受けて静電容量変化が所定の設定値以上あることを出力する静電スイッチデバイス、押下入力確定手段１０９と動作開始確定判断手段１１１とリモコン操作提供手段１１２にはマイクロコンピュータ、押下確定報知手段１１１にはブザー、リモコン側機器通信手段１１３にはシリアル通信手段、情報表示手段１１５にはブラウザソフトウェアを用いることでこの構成を容易に実現できる。
【００２８】
また、サーバ１１６の情報提供手段１１７にはＷＥＢサーバソフトウェアを用いることでこの構成を容易に実現できる。
【００２９】
また、インターネット１１９はインターネットに限らず通信ネットワークであればよい。
【００３０】
以上のように構成された機器操作システムについて、以下その動作、作用を説明する。
【００３１】
リモコン１０５を用いて利用者が操作可能な機能は、タッチパネル１０７および静電スイッチ１０８で提供される。タッチパネル１０７は視認性向上のため外部光源を必要で、外部光源の寿命確保のため通常は所定時間（例えば１０分）が経過すると外部光源の電源を切るため操作画面が見えなくなる。
【００３２】
したがって、静電スイッチ１０８は、タッチパネル１０７の画面が消えていても操作が必要となる高頻度な機能や、画面に関係する操作入力手段提供のために必須機能として準備される。
【００３３】
利用者は通常、静電スイッチ１０８で提供されるメニュースイッチ（図２の２０１）を押下することで、タッチパネル１０７に表示指示可能なメニュー画面２０２から、機器１０１の電気温水機の給湯操作を行うための給湯操作スイッチ２０３や、サーバ１１６から得られる情報を表示するための情報表示スイッチ２０４や、リモコン１０５の設定を行うことができるリモコン設定スイッチ２０５を選択して、リモコン機能を利用する。
【００３４】
ここで、タッチパネル１０７に表示されるメニュー画面やメニュー画面を押下することで表示される画面は、リモコン操作提供手段１１２によって提供される。
【００３５】
まず、利用者がメニュー画面２０２で給湯操作スイッチ２０３を選択した場合の動作について説明する。
【００３６】
タッチパネル１０７や静電スイッチ１０８から機器１０１を動作させるスイッチが押下されると、押下入力確定手段１０９が所定時間（例えば０．２秒）の押下継続判断を行い、押下確定判断を受けて押下確定報知手段１１０が押下受付音を吹鳴して利用者に押下確定を報知する（タッチパネル１０７で押下された画面上のスイッチを凹む画像に変更して報知したり、スイッチを物理的に振動させて報知してもよい）。
【００３７】
次に押下確定を受けて、動作開始確定判断手段１１１が動作開始タイミング判断を行い、動作開始判断が確定されるとリモコン操作提供手段１１２の情報に基づき機器１０１の操作画面がタッチパネル１０７に表示される。
【００３８】
以後、上記同様の動作で、利用者が操作スイッチを押すたびに、動作開始判断が確定さ
れ、機器１０１に対する動作開始が確定されると、リモコン制御手段１０６がリモコン側機器通信手段１１３を用いて機器１０１に選択された機能の指示を行う（例えば、ふろ自動開始や予約運転開始など）。
【００３９】
機器１０１では、機器側機器通信手段１０４を通して機器制御手段１０２が指示を受けとり、機器機能提供手段１０３を用いて機器機能の提供を行う。
【００４０】
次に、利用者がメニュー画面２０２で情報表示スイッチ２０４を選択した場合の動作について説明する。
【００４１】
タッチパネル１０７から情報表示を動作させるスイッチが押下されると、押下入力確定手段１０９が所定時間（例えば０．２秒）の押下継続判断を行い、押下確定判断を受けて押下確定報知手段１１０が押下受付音を吹鳴して利用者に押下確定を報知する（タッチパネル１０７で押下された画面上のスイッチを凹む画像に変更して報知したり、スイッチを物理的に振動させて報知してもよい）。
【００４２】
次に押下確定を受けて、動作開始確定判断手段１１１が動作開始タイミング判断を行い、動作開始判断が確定されるとリモコン制御手段１０６がインターネット通信手段１１４を用いて、インターネット１１９経由でサーバ１１６に情報の要求を行う。サーバ１１６ではサーバ側インターネット通信手段１１８を通して情報提供手段１１７が情報要求を受信し、用意された情報をリモコン１０５へＨＴＭＬ形式の情報を配信する。
【００４３】
リモコン１０５では配信された情報を、インターネット通信手段１１４を通してリモコン制御手段１０６が受信し、情報表示手段１１５でＨＴＭＬ形式の情報をタッチパネル１０７で表示可能な情報に加工し、タッチパネル１０７に受信した情報を表示する。以後、タッチパネル１０７に表示された情報からのリンクが押下されると、上記同様の動作でサーバ１１６からの情報表示を行う。
【００４４】
次に、利用者がメニュー画面でリモコン設定スイッチ２０５を選択した場合の動作について説明する。
【００４５】
タッチパネル１０７からリモコン設定を動作させるスイッチが押下されると、押下入力確定手段１０９が所定時間（例えば０．２秒）の押下継続判断を行い、押下確定判断を受けて押下確定報知手段１１０が押下受付音を吹鳴して利用者に押下確定を報知する（タッチパネル１０７で押下された画面上のスイッチを凹む画像に変更して報知したり、スイッチを物理的に振動させて報知してもよい）。
【００４６】
次に押下確定を受けて、動作開始確定判断手段１１１が動作開始タイミング判断を行い、動作開始判断が確定されるとリモコン制御手段１０６がリモコン操作提供手段１１２の情報に基づきリモコン設定の操作画面がタッチパネル１０７に表示される。
【００４７】
以後、上記同様の動作で、利用者がリモコン設定の操作スイッチを押すたびに、動作開始判断が確定され、リモコン１０５の動作設定（例えば、押下確定報知手段１１０の音量設定）が実行され、リモコン制御手段１０６に記憶される。
【００４８】
次に利用者の押下から動作確定までのプロセスの説明を行う。
【００４９】
図３は押下確定から動作開始確定における異なるパターンを示す図、図４は機器操作システムの動作開始確定プロセスを示すフローチャートである。
【００５０】
（ａ）確実な操作感が必要なスイッチについて説明する。
【００５１】
例えば、図３の（ａ）にあるように、タッチパネル１０７のメニュー画面や、機器操作に関する画面や、静電スイッチ１０８に配置されていてタッチパネル１０７が省電力のためにバックライトを消灯し非表示になっていても使用するスイッチの場合は、目の不自由な人が日常的に扱う場合（タッチパネルは表示位置が変化するので使えないが、静電スイッチは操作位置が変化しないので目が不自由でも操作可能）や、間違って触れてしまう可能性を考え、間違いなく確実な操作を行うことが望ましい。
【００５２】
望ましい操作感を提供する動作開始判断方法については、リモコン操作提供手段１１２で操作画面と一緒に以下のように与えられる。
【００５３】
利用者がタッチパネル１０７または静電スイッチ１０８を押下すると、押下入力確定手段１０９へ押下があったことが伝えられる（Ｓ４０１）。押下入力確定手段１０９は所定時間（例えば０．２秒）押下継続の判断を行い（Ｓ４０２）、所定時間経過で押下確定が行われる（Ｓ４０３）。
【００５４】
この（ａ）のような動作パターンの場合、確実性が必要であるので（Ｓ４０４）、押下確定後同じスイッチの上で押下を終了して確定したかどうかの押下終了判断（Ｓ４０５）が行われ、時間確定（後述）は不要なため（Ｓ４０６）動作開始確定（Ｓ４０８）が行われる。
【００５５】
ここで押下終了判断（Ｓ４０５）時に、押下時と押下終了時のタッチパネル上の座標を判断しスイッチ位置が異なっていれば、押下キャンセルとして動作開始は実施されず、同じスイッチ位置で押下と押下終了があった場合は、リモコン操作提供手段１１２で与えられていた動作がリモコン制御手段１０６によって実行される。
【００５６】
この動作により、利用者によるスイッチ押下後に押下確定されると、押下確定報知手段１１０が押下受付音を吹鳴して使用者に押下確定を報知し、押下を認識した使用者が同じスイッチ上で押下した手を離したことで動作開始確定が行われることになる。
【００５７】
意図せずに押下してしまった場合、使用者は押下確定報知手段１１０の押下受付音を認識した時点で手をスイッチ範囲外にずらして離すことで押下確定をキャンセルすることができるため、意図した押下でのみ機器動作を行うという確実な操作が実現できる。
【００５８】
次に（ｂ）即応性が必要なスイッチについて説明する。
【００５９】
例えば、図３（ｂ）にあるように、押下確定報知手段１１０の報知音量を設定する場面に代表されるリモコン設定画面では即応性が求められる。図３（ｂ）で太線表示している「切」、「小」、「中」、「大」は、選択した時に即時に設定動作が行われ、設定音量を吹鳴すれば、利用者は感覚的に軽快な操作感を得ることができる。
【００６０】
なお、この設定を確定する「確定」スイッチは、確定を間違えずに行いたい場合は（ａ）の確実な操作感が必要なスイッチに類別される。望ましい操作感を提供する動作開始判断方法については、リモコン操作提供手段１１２で操作画面と一緒に以下のように与えられる。
【００６１】
利用者がタッチパネル１０７または静電スイッチ１０８を押下すると、押下入力確定手段１０９へ押下があったことが伝えられる（Ｓ４０１）。押下入力確定手段１０９は所定時間（例えば０．２秒）押下継続の判断を行い（Ｓ４０２）、所定時間経過で押下確定が
行われる（Ｓ４０３）。（ｂ）の場合、即応性が必要なので（Ｓ４０４）、押下確定後すぐに動作開始確定（Ｓ４０８）が行われ、リモコン操作提供手段１１２で与えられていた動作がリモコン制御手段１０６によって実行される。
【００６２】
最後に（ｃ）即応性表示と確実な操作が必要なスイッチについて説明する。
【００６３】
例えば、図３（ｃ）にあるように、機器１０１の給湯温度を変更する画面では、多数のパラメータを持つ温度を上下スイッチで変更する。
【００６４】
例えば温度可変範囲が３５度〜４７度まである場合、可変範囲が大きいので上下スイッチ押下で連続的に変化させるため、即応性が求められるが、変化の途中で機器１０１に毎回通信指示を与えると、不要な通信が多く発生してしまう。
【００６５】
従ってこの場合は、押下確定時に表示だけの変化させ、操作終了時に確実な操作終了判断後の動作開始が求められる。
【００６６】
利用者がタッチパネル１０７または静電スイッチ１０８を押下すると、押下入力確定手段１０９へ押下があったことが伝えられる（Ｓ４０１）。押下入力確定手段１０９は所定時間（例えば０．２秒）押下継続の判断を行い（Ｓ４０２）、所定時間経過で押下確定が行われる（Ｓ４０３）。
【００６７】
この（ｃ）の場合、表示の即応性が求められるので（Ｓ４０４）、押下確定後すぐに表示変更（スイッチの上下に従い温度数値の増加・減少表示）が開始され、所定の間隔（例えば０．５秒ごと）で行われる（Ｓ４０９）。
【００６８】
その後、押下を終了して確定したかどうかの押下終了判断（Ｓ４０５）が行われ、押下終了後の時間確定が必要なので（Ｓ４０６）、所定時間（例えば１秒）押下がないことを確認（Ｓ４０７）し動作開始確定（Ｓ４０８）が行われる。
【００６９】
動作開始確定を受けて、リモコン操作提供手段１１２で与えられていた動作に応じて、リモコン制御手段１０６によって実行される。この場合は、設定中は表示のみが変更され、変更操作が完了してはじめて機器１０１への通信が行われることになる。
【００７０】
以上で述べたような動作により、利用者のタッチパネル１０７および静電スイッチ１０８からの押下入力を確定するための押下入力確定手段１０９と、押下入力確定手段１０９で押下入力確定された動作機能から押下入力確定後の動作開始確定判断を行う動作開始確定判断手段１１１を持つことにより、入力受付方法をタッチ入力という操作系で統一した上で、利用者の動作指示内容に合わせて、確実な操作感が必要な場合や、即応性が必要な場合に、押下入力確定から動作開始確定のタイミングを使い分け、使用感を向上することが可能な機器操作システムを提供することができる。
【００７１】
なお、本実施の形態では、サーバ１１６がある機器操作システムについて述べたが、リモコン操作提供手段１１２が情報表示スイッチを提供しない場合は、サーバ１０１が必要ないことは言うまでもない。
【００７２】
また、本実施例で機器１０１とリモコン１０６の通信にはシリアル通信を用いることを前提としたが、電文送受信が可能であれば、シリアル通信に限定されないことは言うまでもない。
【００７３】
（実施の形態２）
図５は、本発明の第２の実施の形態における情報表示システムのブロック図、図６は、本発明の実施の形態２における機器操作システムのインターフェースを示すものである。
【００７４】
図５において５０１は入力感度調整手段である。入力感度調整手段５０１にはマイクロコンピュータによる電子的な感度切り替え手段を用いることでこの構成を容易に実現できる。
【００７５】
以上のように構成された情報表示システムについて、以下その動作、作用を図５を用いて説明する。なお、図５において、図１と同一動作を示す部分は同一番号を付与している。
【００７６】
リモコン１０５の電源が投入されると、リモコン操作提供手段１１２はリモコン１０５自体の動作設定を行うリモコン設定スイッチ２０５を含んだメニュー画面２０２（図６（ａ））を表示する。
【００７７】
メニュー画面においてリモコン設定スイッチ２０５が押下されるとリモコン操作提供手段１１２は、次にリモコン設定メニュー画面６０１（図６（ｂ））を表示し、ここで静電スイッチ感度調整スイッチ６０２が押下されると、静電スイッチ感度調整画面６０３を表示する。
【００７８】
利用者は、提供された静電スイッチ感度調整画面６０３（図６（ｃ））に表示された静電スイッチ感度調整用スイッチ６０４を押下することで、入力感度調整手段５０１を通して静電スイッチ１０８の入力感度調整を行うことができる。
【００７９】
同じ感度調整状態であっても、使用者によっては、物理的な接触がなくても指が近づいただけで反応する場合や、全く反応しない場合もあり、様々な入力感度特性が存在する。
【００８０】
特に全く反応しない場合には、静電スイッチ１０８は全く操作ができなくなるため、静電スイッチ入力感度調整画面へはタッチパネル１０７のみで遷移することが必須となる。
【００８１】
以上で述べたような動作により、静電スイッチ１０８の入力感度調整をタッチパネル側で行うことで、静電容量変化特性が特別な指であっても画面から簡単に入力感度調整を行うことが可能な機器操作システムを提供することができる。
【００８２】
また、本実施の形態１、２で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムであれば、磁気メディアや光メディアなどの記録媒体に記録したり、インターネットなどの通信回線を用いて配信することでプログラムの配布・更新やそのインストール作業が簡単にできる。
【産業上の利用可能性】
【００８３】
以上のように、本発明にかかる機器操作システム、およびそのプログラムは、利用者のタッチパネルおよび静電スイッチからの押下入力を確定するための押下入力確定手段と、押下入力確定手段で押下入力確定された動作機能から押下入力確定後の動作開始確定判断を行う動作開始確定判断手段を持つことにより、入力受付方法をタッチ入力という操作系で統一した上で、利用者の動作指示内容に合わせて、確実な操作感が必要な場合や、即応性が必要な場合に、押下入力確定から動作開始確定のタイミングを使い分け、使用感を向上することができる。
【００８４】
この動作は、クリック感よりも操作性の統一を重視するのであれば、静電スイッチではなく機械的なスイッチとタッチパネルを組み合わせる場合にも適用できる。
【図面の簡単な説明】
【００８５】
【図１】本発明の実施の形態１における機器操作システムの構成を示すブロック図
【図２】本発明の実施の形態１における機器操作システムのインターフェースを説明する図
【図３】本発明の実施の形態１における動作開始確定パターンを説明する図
【図４】本発明の実施の形態１における動作開始確定プロセスを示すフロー図
【図５】本発明の実施の形態２における機器操作システムの構成を示すブロック図
【図６】本発明の実施の形態２における機器操作システムのインターフェースを説明する図
【図７】従来例である機器操作システムの構成を示すブロック図
【符号の説明】
【００８６】
１０１  機器
１０２  機器制御手段
１０３  機器機能提供手段
１０４  機器側機器通信手段
１０５  リモコン
１０６  リモコン制御手段
１０７  タッチパネル
１０８  静電スイッチ
１０９  押下入力確定手段
１１０  押下確定報知手段
１１１  動作開始確定判断手段
１１２  リモコン操作提供手段
１１３  リモコン側機器通信手段
１１４  インターネット通信手段
１１５  情報表示手段
１１６  サーバ
１１７  情報提供手段
１１８  サーバ側インターネット通信手段
１１９  インターネット
２０１  メニュースイッチ
２０２  メニュー画面
２０３  給湯操作スイッチ
２０４  情報表示スイッチ
２０５  リモコン
５０１  入力感度調整手段（静電スイッチ入力感度調整手段）
６０１  リモコン設定メニュー画面
６０２  静電スイッチ感度調整スイッチ
６０３  静電スイッチ感度調整画面
６０４  静電スイッチ感度調整用スイッチ
７０１  静電スイッチ
７０２  操作判断手段
７０３  機器制御手段
７０４  機器機能提供手段
【図１】
2007304912.tif 000003
【図２】
2007304912.tif 000004
【図３】
2007304912.tif 000005
【図４】
2007304912.tif 000006
【図５】
2007304912.tif 000007
【図６】
2007304912.tif 000008
【図７】
2007304912.tif 000009